(57)【要約】【課題】農作物、干し物、建物等の被保護物をスズメ、カラスその他の鳥類による害から保護するために、該被保護物に接近しようとする鳥類をおどして該被保護物から効果的に追い払うようにした鳥おどし装置を提供する。【解決手段】吊下げ手段５により回転自在、かつ、揺動自在に吊下げられた保持体１の前後両面にそれぞれ一対の略球状体１７、１７を突設し、各略球状体における該保持体からの突出部の一部１９を黒色としたことを特徴とする鳥おどし装置。本考案による鳥おどし装置は、あたかも、前後両面に顔を備え、前後の各顔に突出した黒目を有する一対の目玉を備えた頭部が絶え間なく回転し、揺動するように見えるため、鳥類に対するおどし効果が大きく、かつ、広角度範囲に及び、被保護物から鳥類を効果的に追い払うことができる。本考案による鳥おどし装置は、鳥類を殺害するものではない。【選択図】図１
0003116018.tif 000002
【実用新案登録請求の範囲】
【請求項１】
吊下げ手段により回転自在、かつ、揺動自在に吊下げられた保持体の前後両面にそれぞれ一対の略球状体を突設し、各略球状体における該保持体からの突出部の一部を黒色としたことを特徴とする鳥おどし装置。
【考案の詳細な説明】
【技術分野】
【０００１】
本考案は、鳥おどし装置に関するものであり、更に詳しくは、農作物、干し物、建物等の被保護物をスズメ、カラスその他の鳥類による害から保護するために、該被保護物に接近しようとする鳥類をおどして該被保護物から追い払うようにした鳥おどし装置に係るものである。
【背景技術】
【０００２】
被保護物を鳥類による害から保護するために、該被保護物を保護ネットにより覆うという手法がしばしば行なわれている。
【０００３】
しかるに、保護ネットは、被保護物に対する鳥類による食害を防止することはできるものの、被保護物に接近しようとする鳥類が該保護ネットに絡まって死ぬおそれがあるという問題がある。徒に鳥類を殺害することは避けるべきである。
【０００４】
鳥類をおどして農作物等の被保護物から追い払うための鳥おどし装置としては、人の姿を模した藁人形等のカカシ（案山子）が従来より知られている。
【０００５】
カカシは、鳥類を殺害するものではないという点では好ましいものではあるが、カカシは鳥類に対するおどしの効果が小さく、田畑に立設されたカカシの上にスズメ、カラス等が止まっているという風景は決して珍しいものではない。
【０００６】
そこで、特開２００２−１４２６５２号公報は、目玉が鳥類に対するおどし効果を有する点に着目し、凹面部の底部に黒目部を設けてなる目玉を備えた鳥害防止具（以下「従来の鳥害防止具」という。）を開示している。
【特許文献１】特開２００２−１４２６５２号公報
【考案の開示】
【考案が解決しようとする課題】
【０００７】
しかるに、従来の鳥害防止具における目玉は、凹面部の底部に黒目部を設けてなるものであるため、目立たないものであって、鳥類に対するおどし効果が小さく、鳥類を十分に追い払うことができないという問題がある。
【０００８】
本考案は、従来の鳥害防止具におけるこのような問題を解決し、鳥類に対するおどし効果が大きく、鳥類を効果的に追い払うことができる鳥おどし装置を提供しようとしてなされたものである。
【課題を解決するための手段】
【０００９】
上記課題を解決するために、本考案は下記の鳥おどし装置を提供する。
【００１０】
吊下げ手段により回転自在、かつ、揺動自在に吊下げられた保持体の前後両面にそれぞれ一対の略球状体を突設し、各略球状体における該保持体からの突出部の一部を黒色としたことを特徴とする鳥おどし装置。
【００１１】
［考案の作用］
本考案の鳥おどし装置は、スズメ、カラスその他の鳥類による害から保護すべき農作物、干し物、建物等の被保護物の近傍において、例えば地上に立設された適宜の支持枠等の支持体に吊下げ手段を介して吊下げられる。
【００１２】
支持体に吊下げ手段を介して吊下げられた保持体は、風等により、絶え間なく回転し、揺動する。
【考案の効果】
【００１３】
鳥類は、人の視線を恐れるものであり、人に見られていることを視認した時には直ちに逃げ去るものである。
【００１４】
しかして、本考案によれば、保持体はあたかも人の顔の如きものであり、保持体に突設された一対の略球状体はあたかも該保持体の目玉の如きものであり、各略球状体における保持体からの突出部の黒色の一部は目玉の黒目の如きものである。このように、保持体から黒目が突出した目玉は、広角度範囲で鳥類をにらんでいるかの如き効果を有する。
【００１５】
保持体は前後両面にそれぞれ一対の略球状体を突設しており、しかも該保持体は、風等により、絶え間なく回転し、揺動する。
【００１６】
即ち、本考案による鳥おどし装置は、あたかも、前後両面に顔を備え、前後の各顔に突出した黒目を有する一対の目玉を備えた頭部が絶え間なく回転し、揺動するように見えるため、鳥類に対するおどし効果が大きく、かつ、広角度範囲に及び、被保護物から鳥類を効果的に追い払うことができる。しかも、本考案による鳥おどし装置は、鳥類を殺害するものではない。
【考案を実施するための最良の形態】
【００１７】
符号１に示すものは保持体である。図１に示す事例における保持体１は、一対の合成樹脂製皿状容器３、３を相対向させた状態で相互に接着してなるものである。
【００１８】
保持体１の色は、好ましくは、白色又は他の明色とする。
【００１９】
保持体１は、吊下げ手段５により回転自在、かつ、揺動自在に吊下げられる。
【００２０】
吊下げ手段５は、保持体１を回転自在、かつ、揺動自在に吊下げ得るものであれば、紐、ワイヤ、チェーン等いかなるものであってもよい。
【００２１】
図５に示す事例における吊下げ手段５は、上側紐７ａと下側紐７ｂとをより止め９を介して連結してなるものである。該より止め９は、例えば釣り具に用いられるものを使用しても差し支えない。
【００２２】
図３に示す事例においては、保持体１は、スズメ、カラスその他の鳥類による害から保護すべき農作物、干し物、建物等の被保護物の近傍において、地上に立設された支持体１１に吊下げ手段５を介して吊下げられている。
【００２３】
支持体１１は、例えば、地上に一対の竹製等の支持柱１３、１３を立設し、該支持柱１３、１３間に紐、竹等の横部材１５を架設してなるものとし、該横部材１５に吊下げ手段５を介して保持体１を吊下げる。
【００２４】
保持体１の前後両面にそれぞれ一対の略球状体１７、１７を突設し、各略球状体１７における保持体１からの突出部の一部１９を黒色とし、該一部１９を黒目とする。
【００２５】
各略球状体１７の色は、好ましくは、白色又は他の明色とする。
【００２６】
各略球状体１７としては、一例として、ピンポン球を用いる。
【００２７】
各略球状体１７は、一例として、図２に示すように、保持体１に形成した透孔２１に嵌着する。略球状体１７は、例えば、直径の２／３程度を保持体１の表面から外方に突出させた状態で透孔２１に嵌着する。
【００２８】
各略球状体１７における黒色の一部１９は、好ましくは正面図において円形状に形成する。
【００２９】
当該黒色の一部１９は、図３に示す如く正面図において略球状体１７の中央部に形成してもよいが、図４に示す如く正面図において略球状体１７の外方に偏心した位置に形成しても差し支えない。
【００３０】
符号２３に示すものは保持体１の前後両面において一対の略球状体１７、１７の下方に配設した口を模した図形である。
【図面の簡単な説明】
【００３１】
【図１】本考案による鳥おどし装置の一例を示す斜視図である。
【図２】保持体と略球状体とを示す断面図である。
【図３】同上鳥おどし装置を支持体に吊下げた状態を示す正面図である。
【図４】同上鳥おどし装置の別の一例を示す正面図である。
【図５】吊下げ手段の一例を示す正面図である。
【符号の説明】
【００３２】
１  保持体
３  合成樹脂製皿状容器
５  吊下げ手段
７ａ  上側紐
７ｂ  下側紐
９  より止め
１１  支持体
１３  支持柱
１５  横部材
１７  略球状体
１９  一部
２１  透孔
２３  口を模した図形
【図１】
0003116018.tif 000003
【図２】
0003116018.tif 000004
【図３】
0003116018.tif 000005
【図４】
0003116018.tif 000006
【図５】
0003116018.tif 000007